(57)【要約】      （修正有）【課題】容易に開封できる箱用シートを提供する。【解決手段】箱用シートは、１枚のシート材から形成され、箱型に組立可能な箱用シートであって、左右方向の一方側から他方側に交互に連接され、四角筒状に組み立てられる一対の第１側面パネル１及び一対の第２側面パネル２と、一対の第１側面パネル１の上縁から延出し、先端縁同士が突き合わせ可能に構成される一対の蓋外フラップ３と、一対の第２側面パネル２の上縁から延出する一対の蓋内フラップ４と、一対の第２側面パネル２の下縁から延出し、先端縁同士が突き合わせ可能に構成される一対の底外フラップ５と、一対の第１側面パネル１の下縁から延出する一対の底内フラップ６とを備える。【選択図】図１
0003223334.tif 000002
【実用新案登録請求の範囲】
【請求項１】
１枚のシート材から形成され、箱型に組立可能な箱用シートであって、
左右方向の一方側から他方側に交互に連接され、四角筒状に組み立てられる一対の第１側面パネル及び一対の第２側面パネルと、
上記一対の第１側面パネルの上縁から延出し、先端縁同士が突き合わせ可能に構成される一対の蓋外フラップと、
上記一対の第２側面パネルの上縁から延出する一対の蓋内フラップと、
上記一対の第２側面パネルの下縁から延出し、先端縁同士が突き合わせ可能に構成される一対の底外フラップと、
上記一対の第１側面パネルの下縁から延出する一対の底内フラップと
を備える箱用シート。
【請求項２】
少なくとも一方の上記第２側面パネルが、組立状態で上記一対の蓋外フラップの先端縁から下方に位置する領域に切断容易線により画定される切取片を有する請求項１に記載の箱用シート。
【請求項３】
上記第１側面パネル及び第２側面パネルの上下方向の長さが１０ｃｍ以下である請求項１又は請求項２に記載の箱用シート。
【請求項４】
上記切取片が円形状であり、上記第２側面パネルの上縁及び下縁に接するように設けられている請求項３に記載の箱用シート。
【請求項５】
上記切取片が切断容易線により画定される指穴部を有する請求項２、請求項３又は請求項４のいずれか１項に記載の箱用シート。
【考案の詳細な説明】
【技術分野】
【０００１】
本考案は、箱用シートに関する。
【背景技術】
【０００２】
例えば飲料品の梱包に段ボールシートを組み立ててなる箱体が広く用いられている。この段ボールシートとしては、左右方向に交互に連接される一対の長さ面パネル及び一対の幅面パネルと、一対の長さ面パネルの上縁から延出する一対の蓋外フラップと、一対の長さ面パネルの下縁から延出する一対の底外フラップとを備え、一対の長さ面パネル及び一対の幅面パネルを四角筒状に組み立てたうえ、一対の蓋外フラップ及び一対の底外フラップの先端同士をそれぞれ突き合わせて蓋部及び底部を形成するものが広く採用されている（例えば特開２０１３−１８９７２２号公報参照）。
【０００３】
通常、箱体の大きさは梱包する対象物（収容物）の大きさと数量に応じて適宜決定される。例えば飲料品等の比較的背丈の低いものが行列状に配置されて梱包される場合など、比較的高さの低い小型の箱体が用いられている。
【先行技術文献】
【特許文献】
【０００４】
【特許文献１】特開２０１３−１８９７２２号公報
【考案の概要】
【考案が解決しようとする課題】
【０００５】
上記従来の箱体では、底部及び蓋部は、フラップの先端縁同士を突き合わせて構成され、そのフラップは封函テープで貼着される場合が多い。箱体の高さが低い場合、底部に貼着される封函テープと蓋部に貼着される封函テープとが側面パネル上で干渉し易く、開封が困難となる場合がある。
【０００６】
また、例えば箱体をそのまま商品展示に使用する場合があるが、上述のように２つの封函テープが側面パネル上で干渉していると、蓋部のみを開封することができず、箱体をそのまま商品展示に使用できなくなるおそれがある。
【０００７】
本考案は、このような事情に鑑みてなされたものであり、容易に開封できる箱体シートの提供を課題とする。
【課題を解決するための手段】
【０００８】
本考案の一態様に係る箱用シートは、１枚のシート材から形成され、箱型に組立可能な箱用シートであって、左右方向の一方側から他方側に交互に連接され、四角筒状に組み立てられる一対の第１側面パネル及び一対の第２側面パネルと、上記一対の第１側面パネルの上縁から延出し、先端縁同士が突き合わせ可能に構成される一対の蓋外フラップと、上記一対の第２側面パネルの上縁から延出する一対の蓋内フラップと、上記一対の第２側面パネルの下縁から延出し、先端縁同士が突き合わせ可能に構成される一対の底外フラップと、上記一対の第１側面パネルの下縁から延出する一対の底内フラップとを備える。
【考案の効果】
【０００９】
本考案の箱用シートは、底部及び蓋部に封函テープを貼着する場合であっても、底部に貼着された封函テープと蓋部に貼着された封函テープとが側面パネル上で干渉し難く、容易に開封できる。
【図面の簡単な説明】
【００１０】
【図１】図１は、本考案の一態様に係る箱用シートを示す模式的平面図（展開図）である。
【図２】図２は、図１の箱用シートを組み立てて得られる箱体を示す模式的斜視図である。
【図３】図３は、図２の箱体の切取片付近を拡大した模式的正面図である。
【図４】図４は、図２の箱体の切取片を用いて蓋部の封函テープを剥離した様子を示す模式的斜視図である。
【図５】図５は、図２とは異なる構成の箱体を示す模式的斜視図である。
【考案を実施するための形態】
【００１１】
［本考案の実施形態の説明］
最初に本発明の実施態様を列記して説明する。
【００１２】
本考案の一態様に係る箱用シートは、１枚のシート材から形成され、箱型に組立可能な箱用シートであって、左右方向の一方側から他方側に交互に連接され、四角筒状に組み立てられる一対の第１側面パネル及び一対の第２側面パネルと、上記一対の第１側面パネルの上縁から延出し、先端縁同士が突き合わせ可能に構成される一対の蓋外フラップと、上記一対の第２側面パネルの上縁から延出する一対の蓋内フラップと、上記一対の第２側面パネルの下縁から延出し、先端縁同士が突き合わせ可能に構成される一対の底外フラップと、上記一対の第１側面パネルの下縁から延出する一対の底内フラップとを備える。
【００１３】
当該箱用シートは、一対の蓋外フラップが第１側面パネルから延出し、一対の底外フラップが第２側面パネルから延出している。つまり、当該箱用シートでは、組立状態で突き合わされる一対の蓋外フラップの先端縁の方向と、突き合わされる一対の底外フラップの先端縁の方向とが直交している。このため、蓋部及び底部に封函テープを貼着する場合、蓋部に貼着する封函テープと底部に貼着する封函テープとが直交して貼着されるので、蓋部に貼着する封函テープと底部に貼着する封函テープとが第１側面パネル及び第２側面パネル上で干渉し難い。従って、当該箱用シートは、容易に開封できる。
【００１４】
少なくとも一方の上記第２側面パネルが、組立状態で上記一対の蓋外フラップの先端縁から下方に位置する領域に切断容易線により画定される切取片を有するとよい。このように第２側面パネルが切取片を有することで、切取片の切り取りにより封函テープの端部を第２側面パネルから剥離させることができるので、さらに容易に蓋部を開封できる。
【００１５】
上記第１側面パネル及び第２側面パネルの上下方向の長さとしては、１０ｃｍ以下が好ましい。本考案の箱用シートは、特に高さが上記上限以下の低い箱体で優れた効果を発揮する。
【００１６】
上記切取片が円形状であり、上記第２側面パネルの上縁及び下縁に接するように設けられているとよい。高さが低い箱体において、このように切取片を大きくとることで、さらに容易に蓋部を開封できる。
【００１７】
上記切取片が切断容易線により画定される指穴部を有するとよい。このように上記切取片に切断容易線により画定される指穴部を設けることで、切取片を容易に第２側面パネルから切り取ることができるので、さらに容易に蓋部を開封できる。
【００１８】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。
【００１９】
［本考案の実施形態の詳細］
以下、本考案の一実施形態に係る箱用シートについて適宜図面を参照しつつ説明する。
【００２０】
本考案の一実施形態に係る箱用シートは、図１に示すように、１枚のシート材から形成される。なお、図１において、太い実線はシート材を切断した切断線を示し、細い実線はシート材に筋押しして形成される罫線を示す。
【００２１】
当該箱用シートを形成するシート材としては、例えば段ボールシートを用いることができる。上記ダンボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２２】
上記シート材の厚さの下限としては、強度の観点から、３ｍｍが好ましい。一方、シート材の厚さの上限としては、特に限定されないが、箱体への組立の容易性から８ｍｍが好ましい。
【００２３】
当該箱用シートは、左右方向（図１ではｘ方向）の一方側から他方側に交互に連接され、四角筒状に組み立てられる一対の第１側面パネル１及び一対の第２側面パネル２と、上記一対の第１側面パネル１の上縁から延出する一対の蓋外フラップ３と、上記一対の第２側面パネル２の上縁から延出する一対の蓋内フラップ４と、上記一対の第２側面パネル２の下縁から延出する一対の底外フラップ５と、上記一対の第１側面パネル１の下縁から延出する一対の底内フラップ６と、一方の側端に配設される第１側面パネル１の側縁から延出する糊代部７とを備える。また、当該箱用シートは、一方の第２側面パネル２が切取片８を有する。
【００２４】
＜第１側面パネル及び第２側面パネル＞
第１側面パネル１と第２側面パネル２とは方形状である。また、一対の第１側面パネル１は同等の大きさとされ、一対の第２側面パネル２は同等の大きさとされる。
【００２５】
第１側面パネル１の上下方向長さ（図１のｙ方向の長さ）と、第２側面パネル２の上下方向長さとは等しい。
【００２６】
第１側面パネル１の左右方向長さ（図１のｘ方向の長さ）と、第２側面パネル２の左右方向長さとは、いずれを長くすることもできるが、図１に示すように、第１側面パネル１の左右方向長さが第２側面パネル２の左右方向長さ以上であることが好ましい。このように第１側面パネル１の左右方向長さを第２側面パネル２の左右方向長さ以上とすることで、図１に示すように、蓋外フラップ３及び蓋内フラップ４の延出方向長さ（図１のｙ方向の長さ）が揃う一方、底外フラップ５及び底内フラップ６の総面積が大きくなる。これにより底部の強度が高められる。以下、図１に示す第１側面パネル１の左右方向長さが第２側面パネル２の左右方向長さよりも大きい場合を例にとり説明するが、第１側面パネル１の左右方向長さが第２側面パネル２の左右方向長さと等しい場合や、第１側面パネル１の左右方向長さが第２側面パネル２の左右方向長さよりも小さい場合も、本考案の意図するところである。
【００２７】
なお、第１側面パネル１の左右方向の長さ及び第２側面パネル２の左右方向の長さは、当該箱用シートにより組み立てられる箱体に収容が想定される収容物の大きさや個数に対応できるように適宜決定される。
【００２８】
また、第１側面パネル１及び第２側面パネル２の上下方向長さ（図２の箱体の高さ）についても収容物の大きさや個数に対応できるように適宜決定されるが、上記箱体の高さの上限としては１０ｃｍが好ましく、８ｃｍが好ましい。一方、上記箱体の高さの下限としては、３ｃｍが好ましく、５ｃｍがより好ましい。当該箱用シートは、特に箱体の高さが上記上限以下の低い箱体で蓋部に貼着する封函テープＸ１と底部に貼着する封函テープＸ２との干渉を抑止する効果が高い。一方、上記箱体の高さが上記下限未満であると、後述する切取片８の面積を確保することが困難となり、切取片８の効果が低減するおそれがある。
【００２９】
＜蓋外フラップ及び蓋内フラップ＞
一対の蓋外フラップ３及び一対の蓋内フラップ４は、蓋外フラップ３が外側となるように重ねることで上記箱体の蓋部を閉塞可能に構成されている。
【００３０】
一対の蓋外フラップ３は、その先端縁同士を突き合わせ可能に構成されている。蓋外フラップ３の延出方向長さ（図１のｙ方向の長さ）は、例えば第２側面パネル２の左右方向の長さの１／２とされる。
【００３１】
一方、蓋内フラップ４の延出方向長さは、組立状態で互いが重ならない限り特に限定されないが、蓋外フラップ３の長さと同等とできる。
【００３２】
なお、蓋外フラップ３及び蓋内フラップ４の左右方向の長さ（図１のｘ方向の長さ）は、それぞれ延出する第１側面パネル１及び第２側面パネル２の左右方向の長さと同等とすることが好ましい。
【００３３】
＜底外フラップ及び底内フラップ＞
一対の底外フラップ５及び一対の底内フラップ６は、底外フラップ５が外側となるように重ねることで上記箱体の底部を閉塞可能に構成されている。当該箱用シートでは、底外フラップ５と蓋外フラップ３とが延出する側面シートが異なり、底内フラップ６と蓋内フラップ４とが延出する側面シートが異なる。
【００３４】
一対の底外フラップ５は、その先端縁同士を突き合わせ可能に構成さている。底外フラップ５の延出方向長さ（図１のｙ方向の長さ）は、例えば第１側面パネル１の左右方向の長さの１／２とされる。
【００３５】
一方、一対の底内フラップ６の延出方向長さは、底外フラップ５の延出方向長さと等しくすると、組立状態で互いが重なってしまう。このため、一対の底内フラップ６の延出方向長さは、組立状態で互いが重ならないように調整されている。図１に示す箱用シートでは、一方の底内フラップ６の延出方向長さを底外フラップ５の延出方向長さと等しくし、他方の底内フラップ６の延出方向長さを、一対の底内フラップ６の先端縁同士を突き合わせ可能となる長さに調整している。なお、調整方法はこれに限定されるものではなく、例えば一対の底内フラップ６の先端縁同士を突き合わせ可能となり、かつ一対の底内フラップ６の延出方向長さが等しくなるように調整してもよく、一対の底内フラップ６の先端縁同士が突き合わせられない程度に短くしてもよい。
【００３６】
なお、底外フラップ５及び底内フラップ６の左右方向の長さ（図１のｘ方向の長さ）は、それぞれ延出する第１側面パネル１及び第２側面パネル２の左右方向の長さと同等とすることが好ましい。
【００３７】
＜糊代部＞
糊代部７は、一対の第１側面パネル１及び一対の第２側面パネル２が連接されてなる帯状体の一方の側端に設けられている。糊代部７は、上記帯状体の他方の側端と当接可能に構成されている。この当接部分を上記帯状体の他方の側端に貼着することで一対の第１側面パネル１及び一対の第２側面パネル２を無端状とできる。あるいは、貼着に代えてワイヤー接合等により結合してもよい。
【００３８】
＜切取片＞
切取片８は、組立状態で突き合わされた一対の蓋外フラップ３の先端縁から下方に位置する領域に第１切断容易線８ａにより画定されている。第１切断容易線８ａは、シート材を断続的に切断して形成され、例えば間隔を空けて配設される複数の切断線によって形成されるミシン目とできる。
【００３９】
この切取片８は、図２に示すように、一対の蓋外フラップ３の先端縁同士が突き合わされ、封函テープＸ１で貼着されたときに封函テープＸ１を剥離させる開封片として機能する。このため、図２及び図３に示すように、切取片８は、封函テープＸ１を第２側面パネル２まで延長して貼着した際に封函テープＸ１の端部を切取片８上に位置させることができるように配置されている。
【００４０】
切取片８の形状としては、特に限定されないが、図１及び図３に示すように、円形状とすることが好ましい。切取片８の面積が大きくなると、封函テープＸ１をその端部が切取片８上に位置するように貼着することが容易となる。また、切取片８を掴みやすくなる他、後述する指穴部８１を設けるスペースも確保し易い。一方、切取片８が大きくなると、開封後は第２側面パネル２からこの切取片８部分がなくなるため、箱体としての強度が弱くなるおそれがある。切取片８を円形状とすることで、箱体の強度の低下を抑止しつつ、切取片８の面積が大きくすることができる。また、切取片８を円形状とすることで、箱体の下縁付近に壁ができるので、切取片８を取り去った後でも箱体内に梱包される対象物が箱外に出難くすることができる。
【００４１】
切取片８の大きさとしては、特に限定されないが、第２側面パネル２の上縁及び下縁に接するように設けられているとよい。高さが低い箱体において、このように切取片８を大きくとることで、さらに容易に蓋部を開封できる。また、封函テープＸ１を貼着できる領域が大きくなるので、封函テープＸ１の貼着作業を容易に行える。
【００４２】
また、切取片８は、図３に示すように、第２切断容易線８１ａにより画定される指穴部８１を有する。
【００４３】
この指穴部８１は、組立状態で、箱体の内側へ押し込むことで開口し、この開口に指をかけて切取片８を引き出すことで、切取片８を容易に切り取ることができる。従って、指穴部８１を設けることで、さらに容易に蓋部を開封できるようになる。
【００４４】
指穴部８１は、封函テープＸ１が貼着されない位置に設けられる。また、封函テープＸ１を剥離する方向が上方向となるので、指穴部８１は、切取片８の下方に設けられることが好ましい。指穴部８１を押し込むことにより形成される開口に指をかけて切取片８を切り取ろうとすると、その方向が上方向となるため、そのままの方向で封函テープＸ１を剥離することができる。
【００４５】
なお、指穴部８１の大きさとしては、指をかけて切取片８を引き出すことができるために必要な大きさとされる。
【００４６】
＜箱体の組立方法＞
当該箱用シートを箱体に組み立てる箱体の組立方法は、四角筒状部組立工程と、底部組立工程と、蓋部組立工程とを備える。
【００４７】
（四角筒状部組立工程）
四角筒状部組立工程では、左右方向に交互に連接される一対の第１側面パネル１及び一対の第２側面パネル２を四角筒状に組み立てる。
【００４８】
具体的には、以下の手順による。まず、左右方向に交互に連接される一対の第１側面パネル１及び一対の第２側面パネル２のうち、一方の側端に位置する第１側面パネル１を、隣接する第２側面パネル２の内面側に折り重ね、他方の側端に位置する第２側面パネル２を、隣接する第１側面パネル１の内面側に折り重ねる。そして糊代部７を第２側面パネル２の左右方向他方側（第１側面パネル１との連接側と反対側）の内面に貼着する。これにより、一対の第１側面パネル１及び一対の第２側面パネル２が無端状に接続される。当該箱用シートは、この状態でユーザ（箱体の使用者）に提供される。第２側面パネル２への糊代部７の貼着は、例えば接着剤、ステープラー等を用いて行うことができる。
【００４９】
次に、無端状に接続された一対の第１側面パネル１及び一対の第２側面パネル２を四角筒状に広げる。
【００５０】
（底部組立工程）
底部組立工程では、一対の底外フラップ５及び一対の底内フラップ６により箱体の底部を組み立てる。
【００５１】
具体的には、以下の手順による。まず、一対の底内フラップ６を第１側面パネル１に対して直角になるように折り曲げる。次に、その外面に接するように一対の底外フラップ５を第２側面パネル２に対して直角になるように折り曲げる。一対の底外フラップ５は、先端縁同士を突き合わせ可能に構成されているので、この突き合わせ部に封函テープＸ２を貼着することで、底部が封止される。
【００５２】
（蓋部組立工程）
蓋部組立工程では、一対の蓋外フラップ３及び一対の蓋内フラップ４により箱体の蓋部を組み立てる。
【００５３】
まず、梱包する対象物を上記底部及び上記四角筒状部で囲まれる空間に収容する。次に、蓋部を形成する。
【００５４】
蓋部の形成方法は、以下の手順による。まず、一対の蓋内フラップ４を第２側面パネル２に対して直角になるように折り曲げる。次に、その外面に接するように一対の蓋外フラップ３を第１側面パネル１に対して直角になるように折り曲げる。一対の蓋外フラップ３は、先端縁同士を突き合わせ可能に構成されているので、この突き合わせ部に封函テープＸ１を貼着することで、蓋部が封止される。
【００５５】
封函テープＸ１の両端部は、一対の蓋外フラップ３を確実に固定するために、図２に示すように、第２側面パネル２にかかるように貼着される。このとき、第２側面パネル２のうち切取片８が存在する第２側面パネル２では、図３に示すように、封函テープＸ１の端部が切取片８上に位置するように封函テープＸ１を貼着する。具体的には、突き合わされた一対の蓋外フラップ３の先端縁から下方に位置する領域に切取片８が設けられているので、封函テープＸ１の長さを調整することで封函テープＸ１の端部を切取片８上に位置させることができる。
【００５６】
なお、切取片８上に位置する封函テープＸ１の端部について、図３に示すように、その端辺の全部が切取片８の内側に位置することが好ましい。切取片８上に位置する封函テープＸ１の端辺の全部が切取片８の内側に位置しない場合、封函テープＸ１が短くその端辺が切取片８の上方で外側に位置する部分が生じると、切取片８上に貼着される封函テープＸ１の面積が小さくなる。このように封函テープＸ１の切取片８上の貼着面積が小さい場合、封函テープＸ１と切取片８との接着力が不足し、切取片８を用いて箱体を開封する際に、切取片８のみが封函テープＸ１から離れ、封函テープＸ１を剥離できないおそれがある。逆に、封函テープＸ１が長くその端辺が切取片８の下方で外側に位置する部分が生じると、切取片８を切り出すことが困難となるおそれがある。
【００５７】
＜箱体の開封方法＞
当該箱用シートにより組み立てられた箱体の蓋部を開封する開封方法は、指穴部押込工程と、切取片切出工程と、封函テープ剥離工程とを備える。
【００５８】
（指穴部押込工程）
指穴部押込工程では、指穴部８１を箱体の内側へ押し込むことで切取片８に開口を形成する。
【００５９】
具体的には、箱体の外側から内側へ向かって指穴部８１を指で押し下げる。指穴部８１は、図３に示すように、第２切断容易線８１ａで取り囲まれているので、箱体の外側から内側へ向かって押し下げることで、この第２切断容易線８１ａに沿って、比較的容易に破断させることができる。
【００６０】
このとき、第２切断容易線８１ａに沿って全て破断させる必要はなく、その一部が破断されていなくともよい。例えば図４では、第２切断容易線８１ａのうち、切取片８を画定する第１切断容易線８ａと共通する部分が破断されていない状態を示している。この場合、上述の破断されていない共通部分は、折曲容易線として機能し、指穴部８１を箱体の内側へ押し込むのを補助する。なお、図４のような破断は、側面視で、掌を切取片８の外側に位置するようにした状態で、指穴部８１を指で押し下げると、容易に発生する。
【００６１】
（切取片切出工程）
切取片切出工程では、切取片８を画定している第１切断容易線８ａを破断することで、切取片８を第２側面パネル２から切り取る。
【００６２】
具体的には、指穴部押込工程で形成した開口に指をかけ、この開口部分を起点として、切取片８を箱体の内側から外側へ向かって引き出すことで、第１切断容易線８ａを破断させる。これにより切取片８を第２側面パネル２から切り取ることができる。また、箱体の内側から外側へ向かって引き出しているので、封函テープＸ１を切断することなく、切取片８を切り取ることができる。
【００６３】
（封函テープ剥離工程）
封函テープ剥離工程では、図４に示すように、封函テープＸ１が貼着した状態を維持しつつ、切取片８を上方に引き上げることで、封函テープＸ１を箱体から剥離させる。これにより当該箱用シートにより組み立てられた箱体の蓋部を開封することができる。
【００６４】
この工程は、例えば切取片８を手で握持して行われるが、この際、切取片８と共に切取片８上に位置する封函テープＸ１も握持して行うとよい。このように握持することで、切取片８そのものが封函テープＸ１から剥離してしまうことを防止できる。
【００６５】
＜利点＞
当該箱用シートは、一対の蓋外フラップ３が第１側面パネル１から延出し、一対の底外フラップ５が第２側面パネル２から延出している。つまり、当該箱用シートでは、組立状態で突き合わされる一対の蓋外フラップ３の先端縁の方向と、突き合わされる一対の底外フラップ５の先端縁の方向とが直交している。このため、蓋部及び底部に封函テープを貼着する場合、蓋部に貼着する封函テープＸ１と底部に貼着する封函テープＸ２とが直交して貼着されるので、蓋部に貼着する封函テープＸ１と底部に貼着する封函テープＸ２とが第１側面パネル１及び第２側面パネル２上で干渉し難い。従って、当該箱用シートは、容易に開封できる。
【００６６】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６７】
上記実施形態では、切取片が指穴部を有する場合を説明したが、指穴部は必須の構成要素ではなく省略可能である。この場合、上記実施形態の箱体の開封方法において、指穴部押込工程は省略される。また、切取片が指穴部を有さない場合、切取片切出工程では、例えば切取片の切断容易線に隣接する領域の一部を指で押して一部を破断させ、この破断させた部分を起点として、切取片を切断しつつ箱体の外側に取り出すことで、切取片を第２側面パネルから切り取ることができる。
【００６８】
上記実施形態では、第２側面パネルが、組立状態で突き合わされた一対の蓋外フラップの先端縁から下方に位置する領域に切断容易線により画定される切取片を有する場合を説明したが、図５に示すように、この第２側面パネル２の切取片８に加えて、第１側面パネル１が、組立状態で突き合わされた一対の底外フラップの先端縁から上方に位置する領域に第３切断容易線９ａにより画定される切取片９を有してもよい。このように第１側面パネル１に切取片９を設けることで、底部の開封、すなわち封函テープＸ２が容易となり、箱体を解体し易くすることができる。なお、図５には示していないが、第１側面パネル１の切取片９に切断容易線により画定される指穴部を設けてもよい。
【００６９】
上記実施形態では、一方の第２側面パネルのみが切取片を有する場合を述べたが、一対の第２側面パネルが共に切取片を有してもよい。両方の第２側面パネルに切取片を設けることで、いずれの方向からも開封が容易に行える。
【００７０】
また、第２側面パネルが切取片を有さない場合も本考案の意図するところである。第２側面パネルが切取片を有していない場合であっても、本考案は同様の効果を奏する。
【産業上の利用可能性】
【００７１】
以上のように、本考案の箱用シートは、底部及び蓋部に封函テープを貼着する場合であっても、底部に貼着された封函テープと蓋部に貼着された封函テープとが側面パネル上で干渉し難く、容易に開封できる。
【符号の説明】
【００７２】
１  第１側面パネル
２  第２側面パネル
３  蓋外フラップ
４  蓋内フラップ
５  底外フラップ
６  底内フラップ
７  糊代部
８  切取片
８１  指穴部
８１ａ  第２切断容易線
８ａ  第１切断容易線
９  切取片
９ａ  第３切断容易線
Ｘ１、Ｘ２  封函テープ
【図１】
0003223334.tif 000003
【図２】
0003223334.tif 000004
【図３】
0003223334.tif 000005
【図４】
0003223334.tif 000006
【図５】
0003223334.tif 000007
【手続補正書】
【提出日】令和1年7月30日(2019.7.30)
【手続補正１】
【補正対象書類名】実用新案登録請求の範囲
【補正対象項目名】全文
【補正方法】変更
【補正の内容】
【実用新案登録請求の範囲】
【請求項１】
１枚のシート材から形成され、箱型に組立可能な箱用シートであって、
左右方向の一方側から他方側に交互に連接され、四角筒状に組み立てられる一対の第１側面パネル及び一対の第２側面パネルと、
上記一対の第１側面パネルの上縁から延出し、先端縁同士が突き合わせ可能に構成される一対の蓋外フラップと、
上記一対の第２側面パネルの上縁から延出する一対の蓋内フラップと、
上記一対の第２側面パネルの下縁から延出し、先端縁同士が突き合わせ可能に構成される一対の底外フラップと、
上記一対の第１側面パネルの下縁から延出する一対の底内フラップと
を備える箱用シート。
【請求項２】
少なくとも一方の上記第２側面パネルが、組立状態で上記一対の蓋外フラップの先端縁から下方に位置する領域に切断容易線により画定される切取片を有する請求項１に記載の箱用シート。
【請求項３】
上記第１側面パネル及び第２側面パネルの上下方向の長さが１０ｃｍ以下である請求項２に記載の箱用シート。
【請求項４】
上記切取片が円形状であり、上記第２側面パネルの上縁及び下縁に接するように設けられている請求項３に記載の箱用シート。
【請求項５】
上記切取片が切断容易線により画定される指穴部を有する請求項２、請求項３又は請求項４のいずれか１項に記載の箱用シート。